(57)【要約】【課題】強度を持たせ、別の被覆防火板を設置する必要がなく、適当な防火・隔絶効果を備え、施工プロセスを簡素化し、商品の変化多様性を向上させる、軽量間仕切壁の構造を提供すること。【解決手段】本構造は、一つのフレームモジュールを設置予定の壁体形状、大きさに基づいて中空容置部位を備えるサポートフレームを組み合わせるものであり、サポートフレーム内には複数の分割された容置空間を備え、複数のプレキャスト壁片モジュールは、防火材質によって成形されており、一定の厚味及び構造強度を持ち、各プレキャスト壁片モジュールの両側垂直側辺エッジには、比較的薄い突出エッジを設け、Ｉ形立柱両側の凹部内に嵌入して挟持定位を形成、各プレキャスト壁片モジュールの併合によって該フレームモジュールの各中空容置部位内にそれぞれ固定し、一つの非中空・防火・隔離効果のある軽量間仕切壁構造を形成する。【選択図】図２
0003137760.tif 000002
【実用新案登録請求の範囲】
【請求項１】
フレームモジュールとプレキャスト壁片モジュールを最低備えた軽量間仕切壁の構造において、
一つのフレームモジュールは、設置予定の壁体形状及び大きさによって中空容置部位を備えたサポートフレームを組み合わせるものであり、
複数のプレキャスト壁片モジュールは、防火材質によって、一定厚味のある片体状に成形したものであり、それぞれをフレームモジュールの各中空容置部位内に容置固定し、並びに併合定位することを特徴とする軽量間仕切壁の構造。
【請求項２】
前記フレームモジュールは、二つのコ形断面の上、下溝鉄を、それぞれ上、下側の対称位置に設置したものであり、該上、下溝鉄の間には複数の直立したＩ形立柱を設けることを特徴とする請求項１記載の軽量間仕切壁の構造。
【請求項３】
前記フレームモジュールの両側表面には、複数の被覆板材を被覆することを特徴とする請求項１記載の軽量間仕切壁の構造。
【請求項４】
前記各プレキャスト壁片モジュールの両側垂直側辺エッジには厚味の比較的薄い突出エッジを設け、Ｉ形立柱の異なる一方側の凹部内にそれぞれ嵌入し、挟持定位と横方向の接続を形成することを特徴とする請求項２記載の軽量間仕切壁の構造。
【請求項５】
前記複数の被覆板材は、コンクリート板、プラスチック板、木質板、防水吸音モールド板、もしくはその組み合わせとすることを特徴とする請求項３記載の軽量間仕切壁の構造。
【考案の詳細な説明】
【技術分野】
【０００１】
本考案は、軽量間仕切壁の構造に関するものであり、特に、重量が軽く、施工が迅速、防火・防潮・抗震効果のある間仕切壁構造である。
【背景技術】
【０００２】
公知の軽量間仕切壁の構造は、図１に示すとおりであり、それは、最低二つの鉄溝及び複数の軽量型立柱を結合して一つの多数の分割空間を有するフレームモジュール１０を形成、該フレームモジュール１０の各分割空間内にはグラスウール・ロックウール充填物３を入れるが、該グラスウール・ロックウール充填物３の構造強度が良好でない故、必要に応じて該フレームモジュール１０の各軽量型立柱間に、複数の強化横柱１０１を設置し、その全体構造の強度を増強し、更に、該フレームモジュール１０の二つの側方表面を防火板４（酸化マグネシウム板、ケイ酸カルシウム板、またはコンクリート板）で覆うことにより、該グラスウール・ロックウール充填物３を保護し、且つこれらに美観と防火隔絶効果を持たせており、コストが低く、施工が迅速で防火機能を持ち、大量に商業空間分割に応用されているのであるが、該グラスウール・ロックウール充填物３自体に構造強度はなく、防火もできない故、該フレームモジュール１０に防火板４を組み合わせて初めて、上述構造に強度及び防火機能を持たせることができるものであり、法令規範と各種現場の異なる要望に対応させる為には、同様のフレームモジュール１０に、異なる厚さ、材質の被覆防火板４を組み合わせるだけでよいが、それには、各種同様のテストを繰り返さねばならず、時間、人力、コストの無駄な費用増加があり、乾式軽量間仕切壁は、空心壁に属している故、音遮断効果は良好でなく釘による引き掛け能力も持っていない為、家庭用には適さしておらず、また、音遮断効果を強化する為に内蔵したグラスウール・ロックウール充填物３は、ウール屑の拡散を生じ易く、人体の健康に危害を加えるものである。
公知壁体構造の上述した欠点に鑑み、考案人は、それらの欠点を改善する道を研究、ついに本考案の誕生となった。
【考案の開示】
【考案が解決しようとする課題】
【０００３】
グラスウール・ロックウール充填物自体に構造強度はなく、防火もできず、法令規範と各種現場の異なる要望に対応させる為に、同様のフレームモジュールに、異なる厚さ、材質の被覆防火板を組み合わせる時には、各種同様のテストを繰り返さねばならず、時間、人力、コストの無駄な費用増加があり、空心壁である故、音遮断効果は良好でなく釘による引き掛け能力も持っておらず、また、音遮断効果を強化する為に内蔵したグラスウール・ロックウール充填物は、ウール屑の拡散を生じ易く、人体の健康に危害を加えるものである。
【０００４】
本考案の主目的は、構造自体に最良の強度を持たせ、別の被覆防火板を設置する必要がなく適当な防火、隔絶効果を有し、施工プロセスを効果的に簡素化し、更に商品の変化多様性を向上させる、軽量間仕切壁の構造を提供することにある。
【０００５】
本考案の第二の目的は、その全体構造を効果的に軽量化し、施工を簡単、迅速にし、施工コストを効果的に低減させる、軽量間仕切壁の構造を提供することにある。
【０００６】
本考案の第三の目的は、防火、防潮、抗震、及び最良の音遮断効果を持つ、軽量間仕切壁の構造を提供することにある。
【０００７】
本考案の第四の目的は、それが所有する組立て部材は分解した後も全て繰り返し使用可能で、使用コストを効果的に低減させる、プレキャスト間仕切壁の構造を提供することにある。
【課題を解決するための手段】
【０００８】
上述の目的及び効果を達成する為に、本考案が採用する技術手段は、一つのフレームモジュール、及び複数のプレキャスト壁片モジュールを含んでおり、該フレームモジュールは、設置予定の壁体形状及び大きさに基づいて組み立てられた、中空容置部位を持つサポートフレームであり、また、プレキャスト壁片モジュールは、防火材質によって一定厚さを有する片体状態に成形されたものであり、該フレームモジュールの各中空容置部位内にそれぞれ収められて固定し、並びに、併合定位している。
【０００９】
その内、該フレームモジュールは、二つのコ形断面の上、下溝鉄をそれぞれ上、下側の対称位置に設置し、該上、下溝鉄の間には、複数の直立しているＩ形立柱を設ける。
【００１０】
その内、各プレキャスト壁片モジュールは、両側の垂直側辺エッジに厚味が比較的薄くなっている突出エッジを設け、該Ｉ形立柱の一方側の凹部内に嵌入して挟持定位を成す。
【００１１】
本考案の上述目的、効果及び特徴を更に具体的に理解して頂く為に、図面を参照に下記のとおり説明する。
【考案の効果】
【００１２】
以上説明したように、本考案の軽量間仕切壁の構造は、プレキャスト壁片モジュール２をフレームモジュール１内に組み合わせることにより、軽量化・適当強度を持つ防火非中空壁体構造を形成しており、本体は、適当な強度と隔絶効果を有し、施工のプロセスを効果的に簡素化して商品多様性を向上させ、並びに、モジュール化構造全体もまた施工を便利にし、組み立てコスト低減を実現することを特徴とする。
【考案を実施するための最良の形態】
【００１３】
図２から図４に明らかに示すとおり、本考案は主に、フレームモジュール１及びプレキャスト壁片モジュール２等の二つの部分を含む。その内、該フレームモジュール１は、二つのコ形断面の上、下溝鉄１１、１２をそれぞれ上、下側に対称設置し、且つ、該上、下溝鉄１１、１２の間には、複数の直立のＩ形立柱１３を設け、各Ｉ形立柱１３の両側には二つの垂直延伸する凹部１３１、１３２を設け、該上、下溝鉄１１、１２に各Ｉ形立柱１３を伴わせた組み合わせを利用して、設置予定の壁体の形状に基づいて分割容置部位を持つフレーム構造を形成し、プレキャスト壁片モジュール２は、防火材質によって一定厚味のある片体に成形し、その両側垂直側辺エッジには、厚味の比較的薄い突出エッジ２１、２２を設ける。
【００１４】
組み立てる場合は、各プレキャスト壁片モジュール２を該フレームモジュール１の各分割容置部位に入れ、その突出エッジ２１、２２をそれぞれ、Ｉ形立柱１３の異なる凹部１３１、１３２内に嵌入し挟合定位させており、各プレキャスト壁片モジュール２の併合によって、防火・隔離効果のある軽量間仕切壁構造が形成される。
【００１５】
本考案の上述構造において、プレキャスト壁片モジュール２をフレームモジュール１内に組み合わせることにより、軽量化・適当強度を持つ防火非中空壁体構造を形成する。本体は、適当な強度と隔絶効果を有し、施工のプロセスを効果的に簡素化して商品多様性を向上させ、並びに、モジュール化構造全体もまた施工が便利になり、組み立てコストの低減となる。
【図面の簡単な説明】
【００１６】
【図１】公知の軽量間仕切壁の構造図である。
【図２】本考案の部分構造分解図である。
【図３】本考案の全体組み立て図である。
【図４】本考案の上面組み立て断面図である。
【符号の説明】
【００１７】
１、１０…フレームモジュール 
１０１…強化横柱
１１…上溝鉄 
１２…下溝鉄 
１３…Ｉ形立柱 
１３１、１３２…凹部 
２…プレキャスト壁片モジュール
２１、２２…突出エッジ
３…グラスウール・ロックウール充填物
４…防火板
【図１】
0003137760.tif 000003
【図２】
0003137760.tif 000004
【図３】
0003137760.tif 000005
【図４】
0003137760.tif 000006